(57)【要約】　　　（修正有）【課題】就寝時に首等の身体の一部に巻きまわすのみで身体に装着でき、ズレ防止のための係止手段を必要とせず、従って、装着・脱着が容易で、かつ装着してもかさ張らない簡便な保温具を提供する。【解決手段】潜在捲縮性ポリエステル殻構成されるシート状の繊維集合体に、捲縮発現させたケバを設けることにより、身体に巻きまわして身体に装着し得る保温具１０である。【選択図】図１
2004019075.tif 000002
【特許請求の範囲】
【請求項１】
捲縮発現させたケバを有するシート状の繊維集合体を、身体に巻きまわして用いる保温具。
【請求項２】
前記ケバの捲縮率が２０〜１５０％である請求項１に記載の保温具。
【請求項３】
前記繊維集合体が、不織布である請求項１または２に記載の保温具。
【請求項４】
前記不織布がニードルパンチ法で作られる請求項１から３のいずれかに記載の保温具。
【請求項５】
前記不織布がスパンレース法で作られる請求項１から３のいずれかに記載の保温具。
【請求項６】
前記繊維集合体が、潜在捲縮性合成繊維を少なくとも３０％含む請求項１から５のいずれかに記載の保温具。
【発明の詳細な説明】
【０００１】
【発明の属する技術分野】
本発明は、捲縮発現させたケバを有するシート状の繊維集合体からなる保温具に関する。
【０００２】
【従来の技術】
従来、夜間就寝時において首の周りや腹部等、身体の各部を保温してその冷えを防止するためには、腹巻や掻巻を使用するか、あるいは外出時に用いられる襟巻きやタオル等を首の周りに巻いて代用していた。
【０００３】
しかしながら、腹巻はその形状が一般的に筒状となっているため、腹巻を腹部に装着するには、腹巻の開口部に頭部あるいは足部を通した後に腹部まで腹巻を引き下げたり引き上げたりする必要があり、その作業は非常に煩雑なものであった。
【０００４】
また、掻巻きは全くの夜具であって床入り時には適したものであっても、その内部に綿を抱合するため、掻巻きを首周りに装着したままでは掻巻きがかさ張って立ち振る舞いをすることができず、床入り時以外に利用するには不便なものであった。また襟巻きはその長さのため非常にかさ張り、襟巻きを首の周りに巻きまわして就寝するには抵抗があった。さらに就寝前に屋内で使用するのも首周りが気になって憚られるものであった。
【０００５】
一方、タオルを就寝時の首周りの保温に用いる方法は、首周りがかさ張らず好ましいものであるが、首周りに装着したタオルが首から脱落するのを防止するためには、包帯止め等の係止手段を用いたり、結び玉を作ったりする必要があった。このため、就寝時におけるタオルの使用は、結果として首の周りがかさ張る等して就寝の邪魔になり、実用性に乏しいものであった。
【０００６】
【発明が解決しようとする課題】
本発明の目的は、就寝時に首の周りに巻きまわして身体に装着するものであって、ずれ防止のための係止手段を必要とせず、従って装着・脱着が容易で、かつ装着してもかさ張らない簡便な保温具を提供することにある。
【０００７】
【課題を解決するための手段】
本発明の要旨とするところは、捲縮発現させたケバを有するシート状の繊維集合体を、身体に巻きまわして用いる保温具にある。
【０００８】
本発明の保温具において、前記ケバの捲縮率は２０〜１５０％であり得る。
【０００９】
本発明の保温具において、前記繊維集合体は不織布であり得る。
【００１０】
本発明の保温具において、前記不織布はニードルパンチ法で作られ得る。
【００１１】
本発明の保温具において、前記不織布はスパンレース法で作られ得る。
【００１２】
本発明の保温具において、前記繊維集合体は潜在捲縮性合成繊維を少なくとも３０％含みうる。
【００１３】
【発明実施の形態】
本発明にかかる保温具の形態を以下に詳しく説明する。
図１において、本発明にかかる保温具１０の一実施形態を示す。また、図２において、図１のＡ−Ａ´拡大断面を示す。また、図３において一般的な繊維製品のケバの模式図を示す。また、図４において、本発明にかかる保温具１０の一使用形態を示す。また、図５において、図４のＢ−Ｂ´断面を示す。さらに図６において、図５とは別形態の図４のＢ−Ｂ´断面を示す。ここにおいて、本発明の保温具１０は、巾Ｗが１０ｃｍ、長さＬが９０ｃｍ、厚さＴが０．６ｍｍのシート状の不織布であり、かつこの不織布は潜在捲縮性ポリエステルから構成され、捲縮発現させたケバ１２を有している。本発明の保温具１０の首１４への装着は、保温具１０の一端（一端部１６）を首１４に対抗させて接触させ、この一端部１６を始点として身体に巻きまわして体の周りに保温具１０を積層し、その後保温具１０を首１４側に押圧して各層どうしを貼着させることにより行う。
【００１４】
本発明の保温具１０に捲縮発現させたケバ１２を設けることにより、本発明の保温具１０の任意の一部どうしを重ね合わせて積層した際には、保温具１０の一面に存する第一のケバと、この一面に面して対向する保温具１０の他面に存する第２のケバとが係合することとなり、これによって保温具１０どうしが貼着・剥離自在となる。
【００１５】
本発明の保温具１０を潜在捲縮性ポリエステルから構成することにより、本発明の保温具１０への捲縮性の付与、特にコイル状のケバの発現が、潜在捲縮性ポリエステルを熱処理するのみで行うことができる。
【００１６】
また、本発明の保温具１０を不織布から構成することにより、保温具１０の表面には自ずとケバが形成されることになる。また、その繊維の微細間隙に多くの空気層が設けられる。さらに、本発明の、保温具１０は縦横の方向性を有しない。
またさらに、保温具１０を裁断して任意の大きさに調整しても裁ち目がほつれる恐れも、係止能力を損なうこともない。
【００１７】
本発明にかかる保温具１０の製造は、以下の工程を経て行うことができる。すなわち、まず潜在捲縮性ポリエステルからなる繊維集合体ウエブをニードルパンチ法、あるいはスパンレース法により、ハンドリング可能な程度に軽く繊維を交絡させる。具体的にはニードルパンチ法ではニードル貫通本数が平方センチメートルあたり３０本以上１００本以下の条件でニードリングし、スパンレース法では水圧が平方センチメートルあたり１０ｋｇ以上６０ｋｇ以下の条件で不織布となす。次にこの不織布をテンションがかからないようにオーバーフィードしながら１３０℃下、１０分間熱処理して潜在捲縮性ポリエステルを発捲させる。その後、この熱処理不織布を任意の大きさに裁断する。
【００１８】
ここで、本発明の保温具１０は、上記潜在捲縮性ポリエステルの身から構成される。かかる構成とすることにより、熱処理後に得られる本発明の保温具１０は発捲したケバ１２を高密度で有することとなる。
【００１９】
また、本発明の保温具１０の製造は、発捲させたケバ１２の捲縮率が３０％程度になるように調整して行うことが好ましい。ケバ１２の捲縮率をかかる形態にすることにより、本発明の保温具１０の任意の一部どうしを重ねあわせ積層した際の、前記第１のケバと前記第２のケバとが、より強固に係合する。なお本明細書における捲縮率は、ＪＩＳ　Ｌ−１０１５に基いて測定した。
【００２０】
以上、本発明の保温具１０の一実施例を詳述したが、本発明は以上の実施例に限定されるものではなく、その他の形態でも実施しうるものである。
【００２１】
本発明の保温具１０においては、保温具１０を首１４に巻きまわして保温具１０どうしを重ね合わせた際に、前記第１のケバと前記第２のケバとが、保温具１０どうしを貼着しうる程度に強固に係合しさえすればよい。このため、本発明においては発捲させたケバ１２の捲縮率は２０〜１５０％であることが好ましく、さらに２０〜５０％であることがより好ましい。ここで、捲縮率が２０％に満たない場合には、保温具１０を重ね合わせた際におけるケバ１２どうしの係合が不十分となるため、保温具１０どうしが十分に貼着しない。また、捲縮率が２０％を超えるものは、保温具１０の貼着性に明確な差異はみられないものの、捲縮率を５０％より大きくするためには手間がかかるため、その製造コストがかさむこととなる。なお、ケバの捲縮率は、上記製造方法における熱処理工程の加熱温度、及び加熱時間を調節することによって調整しうる。
【００２２】
本発明の保温具１０は、保温具１０どうしを重ね合わせた際に保温具１０どうしが充分貼着しうる程度に、発捲したケバを有していればよい。このため、本発明の保温具１０は、潜在捲縮性ポリエステルのみから構成される形態に限られるものではなく、潜在捲縮性ポリエステルを少なくとも３０％以上含んで構成されていればよい。本発明の保温具１０が潜在捲縮性ポリエステル３０％未満から構成されると、保温具１０における発捲したケバ１２の密度が疎になるため、保温具１０を首１４の周りに巻きまわして保温具１０どうしを重ね合わせても、保温具１０どうしが十分に貼着しない。
【００２３】
本発明の保温具１０は、上記潜在捲縮性ポリエステルから構成されるものに限られるものではなく、一般に、熱をかけることによって捲縮性を示しうる潜在捲縮性合成繊維から構成されていればよい。これにより、本発明の保温具１０は、その製造工程において、熱処理することにより発捲したケバを容易に設けることができる。なお、この潜在捲縮性合成繊維は、熱収縮挙動の異なる２種の繊維からなるバイメタル構造の複合繊維であることが好ましい。
【００２４】
本発明の保温具１０の作成において、熱処理する工程は、感熱、湿熱いずれを用いてもよい。また、染色工程時にかかる熱処理を行って発捲させてもよい。さらに繊維集合体ウェブを不織布とする方法は、ニードルパンチ法とスパンレース法に限られるものではなく、プリントボンディング法やサーマルボンド法等の、一般的に構成繊維を不織布とする方法として知られる方法を用いて製造しても構わない。
【００２５】
本発明の保温具１０は、発捲したケバを有するシート状の繊維集合体からなるものであって、この繊維集合体を首１４の周りに巻きまわして繊維集合体どうしを重ね合わせた際、繊維集合体どうしが貼着・剥離自在な形態であればよい。従って、本発明の保温具１０は、繊維集合体が不織布からなる形態に限られるものではなく、潜在捲縮性ポリエステルからなる織物や編物から構成されるものであっても構わない。かかる場合、保温具１０への貼着性の付与は、上記織物や編物の表面を起毛してケバを設けた後、この織物や編物を熱処理することによりケバを発捲させて行えばよい。
【００２６】
ここで、本発明の保温具１０を織物や編物で構成する場合には、裁断面にほつれが生じないように、裁ち目をかがっておくことが好ましい。
【００２７】
本発明にかかる保温具１０は、保温具１０を首１４の周りに巻きまわして保温具１０の任意の一部を重ね合わせることにより、結び玉や止め具等の係止手段を要することなく保温具１０が首１４から脱落するのを防ぐことができるものであれば、いずれの形態であってもよい。従って、本発明の保温具１０は、少なくともその片面であって、かつその一端にのみ発捲したケバ１２を設けて構成してもよい。かかる形態からなる保温具１０を首１４に装着するには、図５に示すようにケバ１２が形成されていない部分（ケバ不形成部１８）であって、かつケバが形成された面を身体に対抗させて接触させ、このケバ不形成部１８を始点として身体に巻きまわした後、終点となるケバが形成された部分（ケバ形成部２０）と、このケバ形成部２０に対抗する保温具１０（対抗面２２）とを貼着して行えばよい。本発明の保温具１０をかかる構成とすることにより、保温具１０は、貼着・剥離面を小さくすることができる。なお、本発明が上記形態である場合には、対抗面２２は、ケバ１２とより強固に契合しうるように、ケバ１２とループ状ケバとを混在していることが好ましい。
【００２８】
本発明の保温具１０は、首１４において用いる形態に限られるものではなく、腹部や足首等、身体の任意の部分に用いることができる。従って、本発明の保温具１０のサイズは、進退の任意の部分にまきまわして用いることができるものであればいずれでもよい。このため、本発明の保温具１０は、身体のどの部位に巻きまわして用いるかによってその巾や長さ、及び暑さは任意に変更しうる。具体的には、巾Ｗは好ましくは３ｃｍ〜３０ｃｍ、より好ましくは５ｃｍ〜２０ｃｍ、さらに好ましくは７ｃｍ〜１２ｃｍである。また長さＬは好ましくは５０ｃｍ〜１５０ｃｍ、より好ましくは７０ｃｍ〜１２０ｃｍ、さらに好ましくは８０ｃｍ〜１００ｃｍである。また厚さＴは好ましくは０．３ｍｍ〜５ｍｍ、より好ましくは０．４ｍｍ〜２ｍｍ、さらに好ましくは、０．５ｍｍ〜１ｍｍである。
【００２９】
その他、本発明はその趣旨を逸脱しない範囲内で、当業者の知識に基き種々な改良、修正、変形を加えた形態で実施しうるものである。
【００３０】
以下に本発明を実施例に基いて説明するが、本発明はこれらの実施例に限定される物ではない。
【００３１】
【実施例】
（実施例１）
潜在捲縮性ポリエステル１００％、目付量９０ｇ／ｍ２の繊維集合体ウエブを用いてニードル貫通本数３０本／ｃｍ２の条件でニードルパンチ法により不織布とし、この不織布をテンションがかからないようにオーバーフィードしながら１３０℃下で１０分間熱処理を行った。その後、巾１０ｃｍ長さ９０ｃｍの長尺の帯状にカットすることにより、本発明にかかる保温具を作成した。
【００３２】
実施例１で得られた保温具は、そのケバの捲縮率が３０％であった。この保温具は、十分な捲縮性を有するとともに、この保温具を積層して得られた積層体は、この積層体の各積層面において強固な貼着性を発揮した。また、軽視手段を設けることなく保温具を首に巻きまわして首に装着しても、保温具の首からの脱落は見受けられなかった。
（比較例１）
熱処理工程を７０℃下で行った以外は実施例１と同様にして本発明にかかる保温具を作成した。
【００３３】
比較例１で得られた保温具は、そのケバの捲縮率が１５％を示し、この保温具を積層して得られる積層体の各積層面は、十分な貼着性を得ることができなかった。また、この保温具を係止手段を設けることなく首に巻きまわして首に装着しても、保温具が首から脱落した。
【００３４】
（実施例２）
潜在捲縮性ポリエステル１００％、目付量９０ｇ／ｍ２の繊維集合体ウエブを用いて水圧３０ｋｇ／ｃｍ２の条件でスパンレース法により不織布とし、この不織布をテンションがかからないようにオーバーフィードしながら１１０℃下で２０分間の乾燥の後１３０℃下で１０分間熱処理を行った。その後、巾１０ｃｍ長さ９０ｃｍの長尺の帯状にカットすることにより、本発明にかかる保温具を作成した。
【００３５】
実施例２で得られた保温具は、そのケバの捲縮率が３５％であった。この保温具は、十分な捲縮性を有するとともに、この保温具を積層して得られた積層体は、この積層体の各積層面において強固な貼着性を発揮した。また、軽視手段を設けることなく保温具を首に巻きまわして首に装着しても、保温具の首からの脱落は見受けられなかった。
（比較例２）
非潜在捲縮性ポリエステル１００％の繊維を用いた以外は実施例２と同様にして本発明にかかる保温具を作成した。
【００３６】
比較例２で得られた保温具は、そのケバの捲縮率が２％を示し、この保温具を積層して得られる積層体の各積層面は、十分な貼着性を得ることができなかった。また、この保温具を係止手段を設けることなく首に巻きまわして首に装着しても、保温具が首から脱落した。
【００３７】
【発明の効果】
本発明の保温具は、捲縮発現させたケバを有するシート状の繊維集合体から構成され、この繊維集合体の任意の一部を重ね合わせた際に、繊維集合体の一面と、この一面に面して対抗する他面とがケバを介して貼着・剥離自在となっている。従って、本発明の保温具は、保温具を首等に巻きまわして保温具の任意の一部どうしを重ね合わせて、また必要に応じてこの重なった部分を押圧するのみで首等から保温具が脱落することを防ぐことができる。また本発明の保温具を首等から外す際は、上記の重なった部分を剥離させるのみで足りうる。従って、本発明の保温具はその装着・脱着が容易である。ここで、捲縮発現させたケバを保温具の表面全体に設けた場合には、保温具の任意の一部どうしを重ね合わせて貼着できるため、本発明の保温具は利用者の体格に合わせてケバを設ける位置を調節しなくてもよい。
【００３８】
また本発明において、捲縮発現させたケバを有する部分は一般の繊維製品にみられる図３に示すトゲ様の突起によるケバではなく、図２に示すが如くコイルクリンプと呼ばれるコイル状のケバであるため、発捲したケバが直接肌と接触しても刺激が少なく、保温具の肌触りを悪くする心配がない。
【００３９】
また、本発明の保温具はかかる形態であるため、保温具を首等に装着した場合において、保温具が首等から脱落するのを防止するために保温具に止め具を設けたり、結び玉を設ける必要がなく、従って、かさ張ることがない。
【００４０】
また、本発明の保温具において、ケバの捲縮率を２０〜１５０％とすることにより、保温具の一部どうしを重ね合わせた際、保温具どうしの貼着性をより強固なものとすることができる。さらに、首等に巻きまわす際に首周りに隙間ができるように緩く巻きまわした場合であっても、首等から容易に脱落することを防止することができる。
【００４１】
また、本発明の保温具を潜在捲縮性合成繊維を用いて製造することにより、本発明の保温具に捲縮性を発言させるには、繊維に熱を加えるのみで足り、容易に行うことができる。
【００４２】
また、本発明において用いる潜在捲縮性合成繊維は含有量を少なくとも３０％以上とすることによって、本発明の保温具は十分な捲縮性と貼着性を兼ね備えることができる。
【００４３】
また、本発明の保温具を不織布から構成することにより、本発明の保温具は、その繊維の微細間隙において有する空気層のため、保温性に優れたものとすることができる。また、任意のサイズに裁断した場合において、その裁ち目がほつれることがないため、裁断面をかがる必要がなく、その製造を容易なものとして、製造コストの削減を図ることができる。
【００４４】
また、不織布をニードルパンチ法、あるいはスパンレース法を用いて調整する方法は、不織布を大量に作成することに適しているため、かかる形態により、本発明の保温具を安価にかつ大量に製造することができる。
【図面の簡単な説明】
【図１】本発明の保温具にかかる実施形態を示す斜視図である。
【図２】図１におけるＡ−Ａ´拡大面である。
【図３】本発明以外のケバを示す模式図である。
【図４】本発明の保温具の使用形態を示す模式図である。
【図５】図４におけるＢ−Ｂ´断面である。
【図６】図５とは別形態の図３におけるＢ−Ｂ´断面である。
【符号の説明】
１０：保温具
１２：コイルクリンプによるケバ
１３：従来の一般的なケバ
１４：首
１６：一端部
１８：ケバ不形成部
２０：ケバ形成部
２２：対抗面
【図１】
2004019075.tif 000003
【図２】
2004019075.tif 000004
【図３】
2004019075.tif 000005
【図４】
2004019075.tif 000006
【図５】
2004019075.tif 000007
【図６】
2004019075.tif 000008